(57)【要約】【課題】遊技機において、演出スライド部材の水平方向への移動を円滑にすると共に、演出装置の小型化を可能にする。【解決手段】演出スライド部材８Ｌ（８Ｒ）に、ベースフレーム７Ｌ（７Ｒ）の下ガイド７１Ｌ（７１Ｒ）に水平方向へ摺動可能に係合する下スライダー１２Ｌ（１２Ｒ）と、上ガイド７２Ｌ（７２Ｒ）に水平方向へ摺動可能に係合する上スライダー１３Ｌ（１３Ｒ）とを設ける。上スライダー１３Ｌ（１３Ｒ）は、水平方向へ長寸で、かつ上ガイド７２Ｌ（７２Ｒ）に水平方向へ摺動可能に係合し得るように縦断面がフック形状のスライド部１３０Ｌ（１３０Ｒ）と、スライド部１３０Ｌ（１３０Ｒ）におけるフック部１３１Ｌ（１３１Ｒ）が設けられる側と反対側に設けられ、演出スライド部材８Ｌ（８Ｒ）に固定される固定部１３２Ｌ（１３２Ｒ）とを一体的に形成する。【選択図】図６
2013244290.tif 000002
【特許請求の範囲】
【請求項１】
遊技盤と、前記遊技盤に取り付けられ、演出図柄を表示可能な表示画面と、遊技状況に応じて、前記表示画面の前面に出現可能な演出スライド部材を有する演出装置とを備えた遊技機において、
前記演出スライド部材に、前記演出装置のベースフレームの下ガイドに水平方向へ摺動可能に係合する下スライダーと、前記ベースフレームにおける前記下スライダーよりも上位に設けられる上ガイドに水平方向へ摺動可能に係合する上スライダーとを設け、
前記上スライダーは、水平方向へ長寸で、かつ前記上ガイドに水平方向へ摺動可能に係合し得るように縦断面がフック形状のスライド部と、前記スライド部におけるフック部が設けられる側と反対側に設けられ、前記演出スライド部材に固定される固定部とを一体的に形成することを特徴とする遊技機。
【発明の詳細な説明】
【技術分野】
【０００１】
本発明は、パチンコ機等の遊技機に関する。
【背景技術】
【０００２】
従来、パチンコ機等の遊技機においては、遊技盤の裏側に配置される表示器の表示画面にキャラクタや数字等で構成される演出図柄を表示させると共に、遊技状況に応じて、表示画面の一部または全部を遮蔽し得るように左右方向へ摺動可能な演出スライド部材を有する演出装置を設けることで、遊技の演出効果を高めようとする試みが各種なされている。
【０００３】
例えば、特許文献１に記載の遊技機は、演出装置の上方に水平方向へ延出する上レール、また下方に水平方向へ延出する下レールをそれぞれ配置すると共に、演出スライド部材の上部を上レール、また下部を下レールにそれぞれ左右方向に摺動可能に嵌めることによって、演出スライド部材を駆動源の動力により左右方向へ移動させるようにしている。
【先行技術文献】
【特許文献】
【０００４】
【特許文献１】特開２０１１−１８３０７７号公報
【発明の概要】
【発明が解決しようとする課題】
【０００５】
しかしながら、上述のような遊技機においては、演出装置の上方及び下方に上レール及び下レールが表示画面の画面幅一杯に配置されるため、演出装置が大型化になる問題点を有する。
【０００６】
本発明は、かかる課題に鑑みなされたものであって、演出スライド部材の水平方向への移動を円滑にすると共に、演出装置の小型化を可能にした遊技機を提供することを目的とする。
【課題を解決するための手段】
【０００７】
上記課題を解決するために、本発明は、遊技盤と、前記遊技盤に取り付けられ、演出図柄を表示可能な表示画面と、遊技状況に応じて、前記表示画面の前面に出現可能な演出スライド部材を有する演出装置とを備えた遊技機において、前記演出スライド部材に、前記演出装置のベースフレームの下ガイドに水平方向へ摺動可能に係合する下スライダーと、前記ベースフレームにおける前記下スライダーよりも上位に設けられる上ガイドに水平方向へ摺動可能に係合する上スライダーとを設け、前記上スライダーは、水平方向へ長寸で、かつ前記上ガイドに水平方向へ摺動可能に係合し得るように縦断面がフック形状のスライド部と、前記スライド部におけるフック部が設けられる側と反対側に設けられ、前記演出スライド部材に固定される固定部とを一体的に形成する。
【０００８】
上記構成によると、演出スライド部材が下スライダー及び上スライダーによりベースフレームに水平方向へ摺動可能に支持されるため、演出スライド部材の前後方向へのがた付きを抑えて、水平方向への摺動を円滑なものとすることができる。
さらに、上スライダーの固定部を、スライド部におけるフック部が設けられる側と反対側に設けた構造を採用することによって、上ガイドが上スライダーの固定部の移動軌跡外に位置するため、上ガイドが、演出スライド部材の水平方向への摺動時に、固定部に干渉することはない。これにより、スライド部における水平方向の全長を上ガイド部が摺動することが可能となることから、演出スライド部材の移動ストロークの拡大を図った上で、スライド部の水平方向の長さを短縮して、演出装置の小型化を可能にする。
【発明の効果】
【０００９】
本発明によれば、演出スライド部材の水平方向への摺動を円滑にすると共に、演出装置の小型化を図ることができる。
【図面の簡単な説明】
【００１０】
【図１】本発明に係る遊技機の正面図である。
【図２】開放状態にあるときの遊技盤の正面図である。
【図３】遮蔽状態にあるときの遊技盤の正面図である。
【図４】演出装置の後側から見た分解斜視図である。
【図５】開放状態にあるときの演出装置の正面図である。
【図６】遮蔽状態にあるときの演出装置の正面図である。
【図７】開放状態にあるときの演出装置の裏面図である。
【図８】遮蔽状態にあるときの演出装置の裏面図である。
【図９】図５におけるIX−IX線縦断面拡大図である。
【発明を実施するための形態】
【００１１】
以下、本発明を実施するための一実施形態を添付図面を参照しながら詳述する。図１は、本発明に係わる遊技機をなすパチンコ機１の正面図、図２、３は、遊技盤３の正面図である。
【００１２】
図１に示すように、パチンコ機１は、遊技店の遊技島に据え付けられる矩形枠状の外枠２と、外枠２の左部に鉛直軸回りに前後方向へ揺動可能に枢支される合成樹脂または金属等で形成される図示略の内枠に着脱可能に嵌め込まれ、表面（前面）側（図１〜３において図面手前側）に円形の遊技領域３１を形成する図２、３に示す遊技盤３と、内枠に鉛直軸回りに前後方向へ開閉可能に枢支されると共に、遊技領域３１を前面から透視可能に覆うガラス板４１を嵌め込んだガラス枠ユニット４とを備える。
【００１３】
ガラス枠ユニット４の前面下部には、遊技盤３の裏面（後面）側（図１〜３において図面奥側）に配置される図示略の球払出装置から払い出される遊技球を貯留するための受皿４２と、受皿４２の右斜め下方にあって、受皿４２に貯留されている遊技球を遊技領域３１に打ち込んで所定の遊技を行う際に操作される発射ハンドル４３とが設けられる。
【００１４】
遊技盤３の裏面側には、数字やキャラクター等で構成される演出図柄１００を表示画面５１に変動、停止表示可能な例えば液晶ディスプレイからなる表示器５が配置される。
【００１５】
遊技盤３の裏面と表示画面５１との間の間隙には、表示画面５１を開放する図２に示す開放状態及び表示画面５１の一部を隠蔽する図３に示す遮蔽状態に変化可能な左右の演出装置６Ｌ、６Ｒが配置される。なお、演出装置６Ｌ、６Ｒは、互いに左右対称構造であるため、以下の演出装置６Ｌ、６Ｒの説明においては、説明の便宜上、左の演出装置６Ｌについて説明し、右の演出装置６Ｒについては、括弧内に記す。
【００１６】
図２、３に示すように、遊技盤３は、アクリル樹脂等の透明な合成樹脂板により正面視ほぼ方形に形成されると共に、表面には、ガイドレール３２、３２によって包囲される円形（楕円形を含む）の遊技領域３１が形成される。受皿４２に貯留されている遊技球は、発射ハンドル４３の操作に基いて、遊技盤３の下部裏側に設けられる図示略の発射装置から発射されることにより、ガイドレール３２、３２により誘導されて遊技領域３１に打ち込まれる。
【００１７】
遊技盤３の遊技領域３１には、遊技領域３１のほぼ中央部、すなわち表示画面５１に対向する領域にあって、表示画面５１に表示される演出図柄１００を遊技盤３の前方から透視可能とする表示窓３３が設けられる。
【００１８】
なお、遊技盤３における表示窓３３以外の領域には、模様、彩色等が施され、遊技盤３の前側からパチンコ機１の内部構造が視認できないように不透明に形成される。
【００１９】
さらに、遊技領域３１には、主な要素として、表示窓３３以外の領域にあって、遊技領域３１に打ち込まれた遊技球の流下方向を変化させる多数の図示略の遊技釘と、遊技領域３１に打ち込まれた遊技球が入賞可能な始動入賞口３４と、遊技者にとって不利な第１状態（遊技球が入賞不能な閉鎖状態）と遊技者にとって有利な第２状態（遊技球が入賞可能な開放状態）とに変化可能な大入賞口３５と、遊技領域３１に打ち込まれた遊技球のうち始動入賞口３４、大入賞口３５等の入賞口に入賞しなかったアウト球を遊技盤３の裏面側に排出するアウト口３６等が設けられる。
【００２０】
始動入賞口３４は、遊技領域３１に打ち込まれた遊技球が入賞すると、内部の図示略の入賞検出スイッチにより入賞を検知し、表示画面５１に表示されている演出図柄１００の変動表示の契機を与える。これにより、遊技盤３の裏面側に配置される図示略の制御部により実行される抽選の結果、所定の変動パターンに基づいて、表示画面５１に演出図柄１００を所定の演出態様で所定の変動時間だけ表示演出を行い、変動時間経過後に所定の演出図柄１００の組合せ、例えば、３列の演出図柄が同一の図柄が揃って停止表示して確定表示された場合には、大当り状態を生起させて、大入賞口３５を第１状態から第２状態に変化させる。大当り状態のときには、第２状態にある大入賞口３５に多数の遊技球が入賞可能となり、球払出装置から賞球として大量の遊技球が短時間に払い出される。
【００２１】
演出装置６Ｌ（６Ｒ）は、遊技盤３の裏面側における表示窓３３の左側（右側）に配置され、表示画面５１を開放する図２に示す開放状態と、表示画面５１の左右の一部を隠蔽可能な図３に示す遮蔽状態とに変化可能な構成を備える。
【００２２】
図４は、演出装置６Ｌ（６Ｒ）を後右斜め方向（後左斜め方向）から見た分解斜視図、図５は、開放状態にあるときの演出装置６Ｌ（６Ｒ）の正面図、図６は、遮蔽状態にあるときの演出装置６Ｌ（６Ｒ）の正面図、図７は、開放状態にあるときの演出装置６Ｌ（６Ｒ）の裏面図、図８は、遮蔽状態にあるときの演出装置６Ｌ（６Ｒ）の裏面図、図９は、図５におけるIX−IX線縦断面拡大図である。
【００２３】
演出装置６Ｌ（６Ｒ）は、遊技盤３の裏面側における表示窓３３の左側（右側）に固定されるベースフレーム７Ｌ（７Ｒ）と、ベースフレーム７Ｌ（７Ｒ）に左右方向（水平方向）へ摺動可能に支持される演出スライド部材８Ｌ（８Ｒ）とを備える。
【００２４】
ベースフレーム７Ｌ（７Ｒ）の下部を構成する下部フレーム部７０Ｌ（７０Ｒ）には、駆動源をなすモータ９Ｌ（９Ｒ）と、モータ９Ｌ（９Ｒ）の回転軸に止着された平歯車１０Ｌ（１０Ｒ）と、モータ９Ｌ（９Ｒ）の回転を演出スライド部材８Ｌ（８Ｒ）に伝達可能な平歯車１１Ｌ（１１Ｒ）とが取り付けられる。なお、図７、８は、ベースフレーム７Ｌ（７Ｒ）を取り外した状態を示している。
【００２５】
ベースフレーム７Ｌ（７Ｒ）は、下部に左右方向のガイド孔により構成される下ガイド７１Ｌ（７１Ｒ）を形成する。さらに、下ガイド７１Ｌ（７１Ｒ）よりも上位の前面には、演出スライド部材８Ｌ（８Ｒ）の裏面に向けて突出する上ガイド７２Ｌ（７２Ｒ）が固定される。
【００２６】
上ガイド７２Ｌ（７２Ｒ）は、図９に拡大縦断面図で示すように、前端に上向きのフック部７２１Ｌ（７２１Ｒ）を有する上向きフック形状であって、ベースフレーム７Ｌ（７Ｒ）の前面にボルト１４（１４）により固定される。
【００２７】
演出スライド部材８Ｌ（８Ｒ）は、表面に模様や彩色が施され、下縁には、平歯車１１Ｌ（１１Ｒ）に噛合するラック８１Ｌ（８１Ｒ）が左右方向へ形成され、ラック８１Ｌ（８１Ｒ）より上位の裏面には、下ガイド７１Ｌ（７１Ｒ）に左右方向へ摺動自在に遊嵌する下スライダー１２Ｌ（１２Ｒ）が固定される。これにより、演出スライド部材８Ｌ（８Ｒ）の下部は、ベースフレーム７Ｌ（７Ｒ）の下ガイド７１Ｌ（７１Ｒ）に左右方向へ摺動可能に支持される。
【００２８】
なお、ラック８１Ｌ（８１Ｒ）及び下スライダー１２Ｌ（１２Ｒ）は、表示器５の表示画面５１の下端よりも下方に位置するように設けられる。
【００２９】
演出スライド部材８Ｌ（８Ｒ）の裏面における下スライダー１２Ｌ（１２Ｒ）よりも上位（演出スライド部材８Ｌ（８Ｒ）における上下方向のほぼ中央部）には、上ガイド７２Ｌ（７２Ｒ）に対して前方へ移動不能で、左右方向へ摺動可能に係合する上スライダー１３Ｌ（１３Ｒ）が固定される。
【００３０】
上スライダー１３Ｌ（１３Ｒ）は、全体形状が正面視ほぼＵ字状であって、上ガイド７２Ｌ（７２Ｒ）に対して左右方向へ摺動可能に係合する縦断面形状が図９に示すように下向きフック形状のスライド部１３０Ｌ（１３１Ｒ）と、スライド部１３０Ｌ（１３０Ｒ）の長手方向（左右方向）の両端から上方へ所定量延出し、上端部がボルト１５（１５）により演出スライド部材７Ｌ（７Ｒ）の裏面に固定される左右の固定部１３２Ｌ、１３２Ｌ（１３２Ｒ、１３２Ｒ）とを一体的に形成する。
【００３１】
上スライダー１３Ｌ（１３Ｒ）のスライド部１３０Ｌ（１３０Ｒ）における長手方向の全長には、図９に示すように、上ガイド７２Ｌ（７２Ｒ）の上向きのフック部７２１Ｌ（７２１Ｒ）に対して前方へ移動不能で、左右方向へ摺動し得るように、上方から係合する下向きのフック部１３１Ｌ（１３１Ｒ）が形成される。
【００３２】
本実施形態と異なった構造として、例えば、左右の固定部１３２Ｌ、１３２Ｌ（１３２Ｒ、１３２Ｒ）をスライド部１３０Ｌ（１３０Ｒ）の左右両端から下向きに延出させた構造とした場合には、固定部１３２Ｌ、１３２Ｌ（１３２Ｒ、１３２Ｒ）の向き（下向き）と、スライド部１３０Ｌ（１３０Ｒ）におけるフック部１３１Ｌ（１３１Ｒ）の向き（下向き）とが同一方向となる。このようにすると、演出スライド部材８Ｌ（８Ｒ）の左右方向への摺動に伴って、スライド部１３０Ｌ（１３０Ｒ）に対して相対的に左右方向へ移動する上ガイド７２Ｌ（７２Ｒ）が、スライド部１３０Ｌ（１３０Ｒ）の長手方向の端に達する前に固定部１３２Ｌ、１３２Ｌ（１３２Ｒ、１３２Ｒ）に当接し、それ以上の移動が阻止される。この結果、固定部１３２Ｌ、１３２Ｌ（１３２Ｒ、１３２Ｒ）の左右方向の幅分だけ、上スライダー１３Ｌ（１３Ｒ）、すなわち演出スライド部材８Ｌ（８Ｒ）における左右方向の移動ストロークが短縮されることとなる。
【００３３】
しかし、本実施形態のように、上スライダー１３Ｌ（１３Ｒ）の固定部１３２Ｌ（１３２Ｒ）を、スライド部１３０Ｌ（１３０Ｒ）における下向きのフック部１３１Ｌ（１３０Ｒ）が設けられる下側と反対側の上側に設けた構造を採用することによって、上ガイド７２Ｌ（７２Ｒ）が上スライダー１３Ｌ（１３Ｒ）の固定部１３２Ｌ（１３２Ｒ）の移動軌跡外に位置するため、上ガイド７２Ｌ（７２Ｒ）が、演出スライド部材８Ｌ（８Ｒ）の左右方向（水平方向）への摺動時に、固定部１３２Ｌ（１３２Ｒ）に干渉することはない。これにより、スライド部１３０Ｌ（１３０Ｒ）における左右方向の全長を上ガイド７２Ｌ（７２Ｒ）が摺動することが可能となることから、演出スライド部材８Ｌ（８Ｒ）の移動ストロークの拡大を図った上で、スライド部１３０Ｌ（１３０Ｒ）の水平方向の長さを短縮して、演出装置６Ｌ（６Ｒ）の小型化を可能にする。
【００３４】
次に、本実施形態における作用について説明する。
通常の遊技状態にある場合には、図２、５、７に示すように、演出装置６Ｌ（６Ｒ）は開放状態にある。この状態においては、演出スライド部材８Ｌ（８Ｒ）は、表示画面５１に表示されている演出図柄１００を隠蔽しない開放位置にある。
【００３５】
この状態においては、演出スライド部材８Ｌ（８Ｒ）は、下スライダー１２Ｌ（１２Ｒ）がベースフレーム７Ｌ（７Ｒ）側の下ガイド７１Ｌ（７１Ｒ）、また、下スライダー１２Ｌ（１２Ｒ）よりも上位の上スライダー１３Ｌ（１３Ｒ）のスライド部１３０Ｌ（１３０Ｒ）がベースフレーム７Ｌ（７Ｒ）側の上ガイド７２Ｌ（７２Ｒ）により前後方向へがた付きが発生しないようにそれぞれ支持される。また、上ガイド７２Ｌ（７２Ｒ）は、図５、７に示すように、上スライダー１３Ｌ（１３Ｒ）の長手方向の内端（図５に示す正面視において、上スライダー１３Ｌにおいては右端、上スライダー１３Ｒにおいては左端）にそれぞれ係合した位置にある。
【００３６】
遊技中において、遊技領域３１に打ち込まれた遊技球が始動入賞口３４に入賞し、この入賞を契機に、表示画面５１に表示されている演出図柄１００が変動表示し、例えば、リーチ状態（表示画面５１に表示される演出図柄１００の３列の図柄のうち、先に停止した左、中の図柄が同一図柄で揃って、最後に停止する右の図柄が未だ変動表示中である状態）になると、モータ９Ｌ（９Ｒ）を駆動制御して、演出スライド部材８Ｌ（８Ｒ）を、平歯車１０Ｌ、１１Ｌ（１０Ｒ、１１Ｒ）及びラック８１Ｌ（８１Ｒ）を介して表示画面５１の中央側へ向けて摺動させ、図３、６、８に示すように表示画面５１に表示されている演出図柄１００の一部を隠蔽する遮蔽位置に出現させ、所定の時間経過後に開放位置に戻す。
【００３７】
このとき、演出スライド部材８Ｌ（８Ｒ）の下部は、下スライダー１２Ｌ（１２Ｒ）が下ガイド７１Ｌ（７１Ｒ）に対して左右方向へ摺動可能に係合し、また、同じく下スライダー１２Ｌ（１２Ｒ）よりも上位の上スライダー１３Ｌ（１３Ｒ）が上ガイド７２Ｌ（７２Ｒ）に対して左右方向へ摺動可能に係合しているため、演出スライド部材８Ｌ（８Ｒ）は、前後方向へがたつくような挙動を起こすことなく、左右方向へ円滑に摺動することができる。
【００３８】
なお、演出スライド部材８Ｌ（８Ｒ）が遮蔽位置にある場合には、上ガイド７２Ｌ（７２Ｒ）は、上スライダー１３Ｌ（１３Ｒ）におけるスライド部１３０Ｌ（１３１Ｒ）の長手方向の外端（図６に示す正面視において、上スライダー１３Ｌにおいては左端、上スライダー１３Ｒにおいては右端）にそれぞれ係合した位置にある。
【００３９】
以上、本発明の実施形態について説明したが、本発明の要旨を逸脱しない範囲内で、本実施形態に対して、次のような種々の変形や変更を施すことが可能である。
（ａ）演出装置６Ｌ（６Ｒ）が遮蔽状態にあるとき、演出スライド部材８Ｌ（８Ｒ）が表示画面５１の全領域を遮蔽するようにする。
（ｂ）上スライダー１３Ｌ（１３Ｒ）の固定部１３２Ｌ（１３２Ｒ）を、スライド部１３０Ｌ（１３０Ｒ）の両端以外の位置から上方へ延出させる。
【符号の説明】
【００４０】
１  パチンコ機（遊技機）
２  外枠
３  遊技盤
４  ガラス枠ユニット
５  表示器
６Ｌ、６Ｒ  演出装置
７Ｌ、７Ｒ  ベースフレーム
８Ｌ、８Ｒ  演出スライド部材
９Ｌ、９Ｒ  モータ（駆動源）
１０Ｌ、１０Ｒ  平歯車
１１Ｌ、１１Ｒ  平歯車
１２Ｌ、１２Ｒ  下スライダー
１３Ｌ、１３Ｒ  上スライダー
１４  ボルト
１５  ボルト
３１  遊技領域
３２  ガイドレール
３３  表示窓
３４  始動入賞口
３５  大入賞口
３６  アウト口
４１  ガラス板
４２  受皿
４３  発射ハンドル
５１  表示画面
７０Ｌ、７０Ｒ  下部フレーム部
７１Ｌ、７１Ｒ  下ガイド
７２Ｌ、７２Ｒ  上ガイド
７２１Ｌ、７２１Ｒ  フック部
８１Ｌ、８１Ｒ  ラック
１００  演出図柄
１３０Ｌ、１３０Ｒ  スライド部
１３１Ｌ、１３１Ｒ  フック部
１３２Ｌ、１３２Ｒ  固定部
【図１】
2013244290.tif 000003
【図２】
2013244290.tif 000004
【図３】
2013244290.tif 000005
【図４】
2013244290.tif 000006
【図５】
2013244290.tif 000007
【図６】
2013244290.tif 000008
【図７】
2013244290.tif 000009
【図８】
2013244290.tif 000010
【図９】
2013244290.tif 000011